(57)【要約】【課題】利便性の向上が図れること。【解決手段】撮像装置２は、被写体を撮像して画像データを生成する撮像部２０と、画像を表示する第１表示部２９１と、外部の通信機器３と情報を送受信可能に接続する第１通信部２４と、第１通信部２４を介して、通信機器３から撮像装置２のユーザに対する動作指示に関する動作指示情報を受信する第１通信制御部２８１と、第１通信部２４を介して動作指示情報を受信した場合に、当該動作指示情報に基づく動作指示に応じた撮像装置２のユーザの動作を擬似的に表現した擬似画像を生成する擬似画像生成部２８３と、擬似画像生成部２８３にて生成された擬似画像を第１表示部２９１に表示させる第１表示制御部２８２とを備える。【選択図】図１
2015099994.tif 000002
【特許請求の範囲】
【請求項１】
被写体を撮像する撮像装置において、
前記被写体を撮像して画像データを生成する撮像部と、
画像を表示する第１表示部と、
外部の通信機器と情報を送受信可能に接続する第１通信部と、
前記第１通信部を介して、前記通信機器から当該撮像装置のユーザに対する動作指示に関する動作指示情報を受信する第１通信制御部と、
前記第１通信部を介して前記動作指示情報を受信した場合に、当該動作指示情報に基づく動作指示に応じた当該撮像装置のユーザの動作を擬似的に表現した擬似画像を生成する擬似画像生成部と、
前記擬似画像生成部にて生成された前記擬似画像を前記第１表示部に表示させる第１表示制御部とを備える
ことを特徴とする撮像装置。
【請求項２】
当該撮像装置の位置に関する位置情報を取得する位置取得部と、
当該撮像装置にて撮像される方位に関する第１方位情報を取得する第１方位取得部とを備え、
前記動作指示情報は、
特定の場所での撮影を指示する第１動作指示に関する第１動作指示情報を含み、
前記擬似画像生成部は、
前記第１通信部を介して前記第１動作指示情報を受信した際に前記位置取得部及び前記第１方位取得部にてそれぞれ取得された前記位置情報及び前記第１方位情報、並びに当該第１動作指示情報に基づいて、当該撮像装置のユーザを当該第１動作指示情報に基づく特定の場所に導くための前記擬似画像を生成する
ことを特徴とする請求項１に記載の撮像装置。
【請求項３】
前記擬似画像生成部は、
前記位置情報、及び前記第１動作指示情報に基づいて、当該撮像装置の現在位置から前記特定の場所までの距離に関する距離画像を生成し、
前記第１表示制御部は、
前記擬似画像及び前記距離画像を前記第１表示部に表示させる
ことを特徴とする請求項２に記載の撮像装置。
【請求項４】
前記第１通信制御部は、
前記第１通信部を介して、前記位置取得部にて取得された前記位置情報を前記通信機器に送信する
ことを特徴とする請求項２または３に記載の撮像装置。
【請求項５】
前記第１通信制御部は、
前記第１通信部を介して、前記撮像部にて生成された前記画像データを前記通信機器に送信し、
前記動作指示情報は、
当該撮像装置と前記被写体との位置関係の変更を指示する第２動作指示に関する第２動作指示情報を含み、
前記擬似画像生成部は、
前記第２動作指示情報に基づいて、当該撮像装置のユーザに前記位置関係を変更させるための前記擬似画像を生成する
ことを特徴とする請求項１〜４のいずれか一つに記載の撮像装置。
【請求項６】
前記動作指示情報は、
特定の場所での撮影を指示する第１動作指示に関する第１動作指示情報を含み、
当該撮像装置は、
当該撮像装置の位置に関する位置情報を取得する位置取得部と、
前記第１通信部を介して受信した前記第１動作指示情報、及び前記位置取得部にて取得された位置情報に基づいて、当該撮像装置の現在位置が前記第１動作指示情報に基づく特定の場所から所定距離の範囲内に位置しているか否かを判定する位置判定部とを備え、
前記擬似画像生成部は、
前記位置判定部にて当該撮像装置の現在位置が前記特定の場所から所定距離の範囲内に位置していると判定された場合に、前記第２動作指示情報に基づいて、当該撮像装置のユーザに前記位置関係を変更させるための前記擬似画像を生成する
ことを特徴とする請求項５に記載の撮像装置。
【請求項７】
撮影条件を指示する第１操作を受け付ける第１操作受付部を備え、
前記第１通信制御部は、
前記第１操作受付部が前記第１操作を受け付けた場合に、前記第１通信部を介して、前記撮影条件に関する撮影条件情報を前記通信機器に送信する
ことを特徴とする請求項５または６に記載の撮像装置。
【請求項８】
前記被写体は、
当該撮像装置のユーザであり、
前記第１表示制御部は、
当該撮像装置のユーザが前記撮像部にて撮像されることで生成された画像データに対応する画像と、前記擬似画像とを前記第１表示部に表示させ、当該撮像装置のユーザに対して、前記動作指示情報に基づく動作指示に応じた動作を促す
ことを特徴とする請求項１〜７のいずれか一つに記載の撮像装置。
【請求項９】
請求項１〜８のいずれか一つに記載の撮像装置と、
前記撮像装置との間で情報を送受信可能に接続する通信機器とを備え、
前記通信機器は、
前記撮像装置のユーザに対する動作指示に関する第２操作を受け付ける第２操作受付部と、
前記撮像装置との間で情報を送受信可能に接続する第２通信部と、
前記第２操作受付部が前記第２操作を受け付けた場合に、前記第２通信部を介して、前記動作指示に関する動作指示情報を前記撮像装置に送信する第２通信制御部とを備える
ことを特徴とする撮像システム。
【請求項１０】
被写体を撮像する撮像装置と、前記撮像装置との間で情報を送受信可能に接続される通信機器とを備えた撮像システムにおいて、
前記通信機器は、
前記撮像装置のユーザに対する動作指示に関する第２操作を受け付ける第２操作受付部と、
前記第２操作受付部が前記第２操作を受け付けた場合に、前記動作指示に応じた前記撮像装置のユーザの動作を擬似的に表現した擬似画像を生成する擬似画像生成部と、
前記撮像装置と情報を送受信可能に接続する第２通信部と、
前記第２通信部を介して、前記擬似画像を前記撮像装置に送信する第２通信制御部とを備え、
前記撮像装置は、
前記被写体を撮像して画像データを生成する撮像部と、
画像を表示する第１表示部と、
前記通信機器と情報を送受信可能に接続する第１通信部と、
前記第１通信部を介して、前記通信機器から前記擬似画像を受信する第１通信制御部と、
前記第１通信部を介して前記擬似画像を受信した場合に、当該擬似画像を前記第１表示部に表示させる第１表示制御部とを備える
ことを特徴とする撮像システム。
【請求項１１】
前記第１通信制御部は、
前記第１通信部を介して、前記撮像部にて生成された画像データを前記通信機器に送信し、
前記通信機器は、
画像を表示する第２表示部と、
前記第２通信部を介して受信した前記画像データに対応する画像を前記第２表示部に表示させる第２表示制御部と、
当該通信機器の方位に関する第２方位情報を取得する第２方位取得部とを備え、
前記第２操作受付部は、
前記第２方位取得部にて取得された前記第２方位情報に基づく当該通信機器の方位が変更されたことを前記第２操作として受け付ける
ことを特徴とする請求項９または１０に記載の撮像システム。
【請求項１２】
被写体を撮像する撮像装置が行う撮像方法において、
外部の通信機器から前記撮像装置のユーザに対する動作指示に関する動作指示情報を受信した場合に、当該動作指示情報に基づく動作指示に応じた前記撮像装置のユーザの動作を擬似的に表現した擬似画像を生成する擬似画像生成ステップと、
前記擬似画像生成ステップにて生成した前記擬似画像を表示する表示ステップとを含む
ことを特徴とする撮像方法。
【請求項１３】
請求項１２に記載の撮像方法を撮像装置に実行させる
ことを特徴とする撮像プログラム。
【発明の詳細な説明】
【技術分野】
【０００１】
本発明は、被写体を撮像する撮像装置、当該撮像装置を備えた撮像システム、当該撮像装置が行う撮像方法、及び当該撮像装置に実行させる撮像プログラムに関する。
【背景技術】
【０００２】
近年、デジタルカメラやデジタルビデオカメラ等の撮像装置において、撮像により生成した画像データに対応するライブビュー画像を表示部に表示するとともに、通信技術を用いて、当該画像データを携帯電話等の外部の通信機器に順次、送信する技術が知られている（例えば、特許文献１参照）。
特許文献１に記載の技術は、通信機器により撮像装置を遠隔操作する技術である。
具体的に、特許文献１に記載の技術では、通信機器は、撮像装置から送信された画像データを順次、受信し、当該画像データに対応するライブビュー画像を表示部に順次、表示する。通信機器のユーザは、通信機器の表示部に表示されたライブビュー画像を確認しながら、撮像装置に画像データの記録を実行させたいタイミングで通信機器に対して所定の操作を実行する。この操作により通信機器から画像データの記録要求が撮像装置に送信され、撮像装置は、当該記録要求を受信した後、撮像動作（画像データの記録動作）を行う。
【先行技術文献】
【特許文献】
【０００３】
【特許文献１】特開２００３−２５００７９号公報
【発明の概要】
【発明が解決しようとする課題】
【０００４】
しかしながら、特許文献１に記載の技術では、通信機器のユーザは、当該通信機器の表示部に表示されたライブビュー画像を確認しながら、近くの撮影スポットで撮影を行うことをアドバイスしたい場合や、撮像装置のアングルについてアドバイスしたい場合等には、携帯電話等の他の通信手段を使って上述したアドバイスをする必要がある。このため、利便性の向上が図れない、という問題がある。
【０００５】
本発明は、上記に鑑みてなされたものであって、利便性の向上が図れる撮像装置、撮像システム、撮像方法、及び撮像プログラムを提供することを目的とする。
【課題を解決するための手段】
【０００６】
上述した課題を解決し、目的を達成するために、本発明に係る撮像装置は、被写体を撮像する撮像装置において、前記被写体を撮像して画像データを生成する撮像部と、画像を表示する第１表示部と、外部の通信機器と情報を送受信可能に接続する第１通信部と、前記第１通信部を介して、前記通信機器から当該撮像装置のユーザに対する動作指示に関する動作指示情報を受信する第１通信制御部と、前記第１通信部を介して前記動作指示情報を受信した場合に、当該動作指示情報に基づく動作指示に応じた当該撮像装置のユーザの動作を擬似的に表現した擬似画像を生成する擬似画像生成部と、前記擬似画像生成部にて生成された前記擬似画像を前記第１表示部に表示させる第１表示制御部とを備えることを特徴とする。
【０００７】
また、本発明に係る撮像装置は、上記発明において、当該撮像装置の位置に関する位置情報を取得する位置取得部と、当該撮像装置にて撮像される方位に関する第１方位情報を取得する第１方位取得部とを備え、前記動作指示情報は、特定の場所での撮影を指示する第１動作指示に関する第１動作指示情報を含み、前記擬似画像生成部は、前記第１通信部を介して前記第１動作指示情報を受信した際に前記位置取得部及び前記第１方位取得部にてそれぞれ取得された前記位置情報及び前記第１方位情報、並びに当該第１動作指示情報に基づいて、当該撮像装置のユーザを当該第１動作指示情報に基づく特定の場所に導くための前記擬似画像を生成することを特徴とする。
【０００８】
また、本発明に係る撮像装置は、上記発明において、前記擬似画像生成部は、前記位置情報、及び前記第１動作指示情報に基づいて、当該撮像装置の現在位置から前記特定の場所までの距離に関する距離画像を生成し、前記第１表示制御部は、前記擬似画像及び前記距離画像を前記第１表示部に表示させることを特徴とする。
【０００９】
また、本発明に係る撮像装置は、上記発明において、前記第１通信制御部は、前記第１通信部を介して、前記位置取得部にて取得された前記位置情報を前記通信機器に送信することを特徴とする。
【００１０】
また、本発明に係る撮像装置は、上記発明において、前記第１通信制御部は、前記第１通信部を介して、前記撮像部にて生成された前記画像データを前記通信機器に送信し、前記動作指示情報は、当該撮像装置と前記被写体との位置関係の変更を指示する第２動作指示に関する第２動作指示情報を含み、前記擬似画像生成部は、前記第２動作指示情報に基づいて、当該撮像装置のユーザに前記位置関係を変更するための前記擬似画像を生成することを特徴とする。
【００１１】
また、本発明に係る撮像装置は、上記発明において、前記動作指示情報は、特定の場所での撮影を指示する第１動作指示に関する第１動作指示情報を含み、当該撮像装置は、当該撮像装置の位置に関する位置情報を取得する位置取得部と、前記第１通信部を介して受信した前記第１動作指示情報、及び前記位置取得部にて取得された位置情報に基づいて、当該撮像装置の現在位置が前記第１動作指示情報に基づく特定の場所から所定距離の範囲内に位置しているか否かを判定する位置判定部とを備え、前記擬似画像生成部は、前記位置判定部にて当該撮像装置の現在位置が前記特定の場所から所定距離の範囲内に位置していると判定された場合に、前記第２動作指示情報に基づいて、当該撮像装置のユーザに前記位置関係を変更するための前記擬似画像を生成することを特徴とする。
【００１２】
また、本発明に係る撮像装置は、上記発明において、撮影条件を指示する第１操作を受け付ける第１操作受付部を備え、前記第１通信制御部は、前記第１操作受付部が前記第１操作を受け付けた場合に、前記第１通信部を介して、前記撮影条件に関する撮影条件情報を前記通信機器に送信することを特徴とする。
【００１３】
また、本発明に係る撮像装置は、上記発明において、前記被写体は、当該撮像装置のユーザであり、前記第１表示制御部は、当該撮像装置のユーザが前記撮像部にて撮像されることで生成された画像データに対応する画像と、前記擬似画像とを前記第１表示部に表示させ、当該撮像装置のユーザに対して、前記動作指示情報に基づく動作指示に応じた動作を促すことを特徴とする。
【００１４】
また、本発明に係る撮像システムは、上述した撮像装置と、前記撮像装置との間で情報を送受信可能に接続する通信機器とを備え、前記通信機器は、前記撮像装置のユーザに対する動作指示に関する第２操作を受け付ける第２操作受付部と、前記撮像装置との間で情報を送受信可能に接続する第２通信部と、前記第２操作受付部が前記第２操作を受け付けた場合に、前記第２通信部を介して、前記動作指示に関する動作指示情報を前記撮像装置に送信する第２通信制御部とを備えることを特徴とする。
【００１５】
また、本発明に係る撮像システムは、被写体を撮像する撮像装置と、前記撮像装置との間で情報を送受信可能に接続される通信機器とを備えた撮像システムにおいて、前記通信機器は、前記撮像装置のユーザに対する動作指示に関する第２操作を受け付ける第２操作受付部と、前記第２操作受付部が前記第２操作を受け付けた場合に、前記動作指示に応じた前記撮像装置のユーザの動作を擬似的に表現した擬似画像を生成する擬似画像生成部と、前記撮像装置と情報を送受信可能に接続する第２通信部と、前記第２通信部を介して、前記擬似画像を前記撮像装置に送信する第２通信制御部とを備え、前記撮像装置は、前記被写体を撮像して画像データを生成する撮像部と、画像を表示する第１表示部と、前記通信機器と情報を送受信可能に接続する第１通信部と、前記第１通信部を介して、前記通信機器から前記擬似画像を受信する第１通信制御部と、前記第１通信部を介して前記擬似画像を受信した場合に、当該擬似画像を前記第１表示部に表示させる第１表示制御部とを備えることを特徴とする。
【００１６】
また、本発明に係る撮像システムは、上記発明において、前記第１通信制御部は、前記第１通信部を介して、前記撮像部にて生成された画像データを前記通信機器に送信し、前記通信機器は、画像を表示する第２表示部と、前記第２通信部を介して受信した前記画像データに対応する画像を前記第２表示部に表示させる第２表示制御部と、当該通信機器の方位に関する第２方位情報を取得する第２方位取得部とを備え、前記第２操作受付部は、前記第２方位取得部にて取得された前記第２方位情報に基づく当該通信機器の方位が変更されたことを前記第２操作として受け付けることを特徴とする。
【００１７】
また、本発明に係る撮像方法は、被写体を撮像する撮像装置が行う撮像方法において、外部の通信機器から前記撮像装置のユーザに対する動作指示に関する動作指示情報を受信した場合に、当該動作指示情報に基づく動作指示に応じた前記撮像装置のユーザの動作を擬似的に表現した擬似画像を生成する擬似画像生成ステップと、前記擬似画像生成ステップにて生成した前記擬似画像を表示する表示ステップとを含むことを特徴とする。
【００１８】
また、本発明に係る撮像プログラムは、上述した撮像方法を撮像装置に実行させることを特徴とする。
【発明の効果】
【００１９】
本発明に係る撮像装置は、外部の通信機器から動作指示情報を受信した場合に、当該動作指示情報に基づく動作指示に応じた当該撮像装置のユーザの動作を擬似的に表現した擬似画像を生成する。そして、撮像装置は、当該擬似画像を表示する。
このため、撮像装置のユーザは、当該撮像装置に表示された擬似画像により、通信機器のユーザが指示した動作指示を認識し、当該動作指示に応じた動作を行うことができる。すなわち、通信機器のユーザは、携帯電話等の他の通信手段を利用することなく、撮像装置のユーザに対して種々のアドバイスをすることができる。
したがって、本発明に係る撮像装置によれば、利便性の向上が図れる、という効果を奏する。
【００２０】
本発明に係る撮像システムは、上述した撮像装置を備えるため、上述した撮像装置と同様の効果を奏する。
本発明に係る撮像方法は、上述した撮像装置が行う撮像方法であるため、上述した撮像装置と同様の効果を奏する。
本発明に係る撮像プログラムは、上述した撮像装置にて実行されるプログラムであるため、上述した撮像装置と同様の効果を奏する。
【図面の簡単な説明】
【００２１】
【図１】図１は、本発明の実施の形態１に係る撮像システムの構成を示すブロック図である。
【図２】図２は、図１に示した撮像装置における第１表示部が基準位置に位置付けられた状態を当該撮像装置のユーザに面する側から見た斜視図である。
【図３】図３は、図１に示した撮像装置における第１表示部が自分撮り位置に位置付けられた状態を当該撮像装置の被写体側から見た斜視図である。
【図４】図４は、図１ないし図３に示した撮像装置の動作を示すフローチャートである。
【図５】図５は、図１に示した通信機器の動作を示すフローチャートである。
【図６】図６は、図４及び図５に示した撮像システムの動作時における撮像装置のユーザの姿勢を模式的に示す図である。
【図７】図７は、図４及び図５に示した撮像システムの動作時に撮像装置のユーザがアドバイス依頼操作を行った場合に撮像装置及び通信機器に表示される画像の一例を示す図である。
【図８】図８は、図４及び図５に示した撮像システムの動作時に通信機器のユーザが行う第１アドバイス操作、及び撮像装置に表示される第１重畳画像の一例を示す図である。
【図９】図９は、図４及び図５に示した撮像システムの動作時に通信機器のユーザが行う第１アドバイス操作、及び撮像装置に表示される第１重畳画像の一例を示す図である。
【図１０】図１０は、図４及び図５に示した撮像システムの動作時に通信機器のユーザが行う第１アドバイス操作、及び撮像装置に表示される第１重畳画像の一例を示す図である。
【図１１】図１１は、図４及び図５に示した撮像システムの動作時に通信機器のユーザが行う第１アドバイス操作、及び撮像装置に表示される第１重畳画像の一例を示す図である。
【図１２】図１２は、図４及び図５に示した撮像システムの動作時に通信機器のユーザが行う第１アドバイス操作、及び撮像装置に表示される第１重畳画像の一例を示す図である。
【図１３】図１３は、図４及び図５に示した撮像システムの動作時に通信機器のユーザが行う第１アドバイス操作、及び撮像装置に表示される第１重畳画像の一例を示す図である。
【図１４】図１４は、本発明の実施の形態２に係る撮像装置の動作を示すフローチャートである。
【図１５】図１５は、本発明の実施の形態２に係る通信機器の動作を示すフローチャートである。
【図１６】図１６は、図１４及び図１５に示した撮像システムの動作時に通信機器のユーザが行う第２アドバイス操作、及び撮像装置に表示される第２重畳画像の一例を示す図である。
【図１７】図１７は、図１４及び図１５に示した撮像システムの動作時に通信機器のユーザが行う第２アドバイス操作、及び撮像装置に表示される第２重畳画像の一例を示す図である。
【図１８】図１８は、図１４及び図１５に示した撮像システムの動作時に通信機器のユーザが行う第２アドバイス操作、及び撮像装置に表示される第２重畳画像の一例を示す図である。
【図１９】図１９は、図１４及び図１５に示した撮像システムの動作時に通信機器のユーザが行う第２アドバイス操作、及び撮像装置に表示される第２重畳画像の一例を示す図である。
【図２０】図２０は、図１４及び図１５に示した撮像システムの動作時に通信機器のユーザが行う第２アドバイス操作、及び撮像装置に表示される第２重畳画像の一例を示す図である。
【図２１】図２１は、図１４及び図１５に示した撮像システムの動作時に通信機器のユーザが行う第２アドバイス操作、及び撮像装置に表示される第２重畳画像の一例を示す図である。
【図２２】図２２は、図１４及び図１５に示した撮像システムの動作時に通信機器のユーザが行う第２アドバイス操作、及び撮像装置に表示される第２重畳画像の一例を示す図である。
【図２３】図２３は、本発明の実施の形態２の変形例に係る撮像システムの構成を示すブロック図である。
【図２４】図２４は、本発明の実施の形態３に係る撮像システムの構成を示すブロック図である。
【図２５】図２５は、図２４に示した撮像装置の動作を示すフローチャートである。
【図２６】図２６は、図２４に示した通信機器の動作を示すフローチャートである。
【発明を実施するための形態】
【００２２】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２３】
（実施の形態１）
〔撮像システムの概略構成〕
図１は、本発明の実施の形態１に係る撮像システム１の構成を示すブロック図である。
撮像システム１は、互いに異なるユーザによりそれぞれ操作され、無線通信により互いに情報の送受信を可能に接続する撮像装置２（図１）及び通信機器３（図１）を備える。
なお、撮像システム１としては、無線通信に限られず、有線通信により互いに情報の送受信を可能に撮像装置２及び通信機器３を接続した構成としても構わない。
そして、撮像システム１は、通信機器３のユーザが撮像装置２のユーザに対する動作指示（アドバイス）に関する操作を通信機器３に対して行うことにより、通信機器３から離れた場所にある撮像装置２が所定の表示を行って撮像装置２のユーザに対して当該アドバイスに応じた動作を促すシステムである。
【００２４】
〔撮像装置の構成〕
図２は、撮像装置２における第１表示部２９１が基準位置に位置付けられた状態を当該撮像装置２のユーザに面する側から見た斜視図である。図３は、撮像装置２における第１表示部２９１が自分撮り位置に位置付けられた状態を当該撮像装置２のユーザ被写体側から見た斜視図である。
なお、図２及び図３では、撮像装置２の幅方向をＸ軸、撮像装置２の高さ方向をＹ軸、撮像装置２の光軸Ｌ方向をＺ軸としている。
撮像装置２は、被写体を撮像する装置であり、例えば、デジタルカメラ、デジタルビデオカメラ、撮影機能を有する携帯電話やタブレット型携帯機器等の電子機器、内視鏡、または顕微鏡等として構成される。
なお、以下では、撮像装置２の構成として、本発明の要部を主に説明する。
この撮像装置２は、図１ないし図３に示すように、本体部２Ａと、表示機構２Ｂとを備える。
【００２５】
本体部２Ａは、図１に示すように、撮像部２０と、位置取得部２１と、第１方位取得部２２と、第１入力部２３と、第１通信部２４と、第１メモリ部２５と、第１記録部２６と、回転判定部２７と、第１制御部２８とを備える。
撮像部２０は、第１制御部２８による制御の下、被写体を撮像して画像データを生成する。この撮像部２０は、被写体像を結像する光学系、光学系が結像した被写体像を受光して電気信号に変換するＣＣＤ（Ｃｈａｒｇｅ  Ｃｏｕｐｌｅｄ  Ｄｅｖｉｃｅ）等の撮像素子、当該撮像素子からの電気信号（アナログ信号）に対して信号処理（Ａ／Ｄ変換等）を行うことによりデジタルの画像データを生成する信号処理部等を用いて構成される。
そして、撮像部２０にて生成された画像データは、第１制御部２８による制御の下、順次、第１メモリ部２５に記憶されるとともに、撮像装置２のユーザによる第１入力部２３への撮影操作に応じて第１記録部２６に記録される。
【００２６】
位置取得部２１は、地上の物体の位置を測定する測定手段であるＧＰＳ（Ｇｌｏｂａｌ  Ｐｏｓｉｔｉｏｎｉｎｇ  Ｓｙｓｔｅｍ）を構成する複数のＧＰＳ衛星から送信されてくる衛星の軌道情報を受信し、この受信した軌道情報に基づいて、撮像装置２の位置情報（経度や緯度に関する情報）を取得する。そして、位置取得部２１は、撮像装置２の位置情報を第１制御部２８に出力する。
【００２７】
第１方位取得部２２は、撮像装置２（撮像部２０における光学系）の光軸Ｌ（図３）が略水平になる場合において、当該光軸Ｌが視野領域を向いた方向を基準方位としたときの撮像装置２の方位を第１方位情報として取得する。そして、第１方位取得部２２は、撮像装置２の第１方位情報を第１制御部２８に出力する。
具体的に、第１方位取得部２２は、磁気方位センサ等を用いて構成され、地磁気の垂直方向と水平方向の成分を検出し、北を基準とする基準方位と撮像装置２の光軸Ｌとがなす角度を方位角として検出することによって、撮像装置２の第１方位情報を取得する。
【００２８】
第１入力部２３は、ユーザ操作を受け付けるボタンやスイッチ等を用いて構成され（図２、図３参照）、当該ユーザ操作に応じた指示信号を第１制御部２８に出力する。
第１通信部２４は、第１制御部２８による制御の下、通信機器３との間でライブビュー画像データや通信に必要な信号を含む各種データの無線通信を所定のプロトコルに従って行う。
第１メモリ部２５は、撮像部２０にて生成された画像データや、通信機器３から第１通信部２４を介して受信した動作指示情報等を記憶する。
【００２９】
第１記録部２６は、図１に示すように、第１プログラム記録部２６１と、画像データ記録部２６２とを備える。
第１プログラム記録部２６１は、第１制御部２８が実行する各種プログラム（撮像プログラムを含む）、及びプログラムの実行中に使用される各種データ等を記録する。
画像データ記録部２６２は、第１制御部２８による制御の下、撮像部２０にて生成された画像データを記録する。
【００３０】
回転判定部２７は、表示機構２Ｂの回転状態を判定し、この判定結果を第１制御部２８に出力する。具体的には、回転判定部２７は、第１表示部２９１が自分撮り位置（図３）に位置しているか否かを判定し、この判定結果を第１制御部２８に出力する。
【００３１】
第１制御部２８は、ＣＰＵ（Ｃｅｎｔｒａｌ  Ｐｒｏｃｅｓｓｉｎｇ  Ｕｎｉｔ）等を用いて構成され、第１入力部２３からの指示信号等に応じて撮像装置２を構成する各部に対応する指示やデータの転送等を行って撮像装置２の動作を統括的に制御する。
この第１制御部２８は、図１に示すように、第１通信制御部２８１と、第１表示制御部２８２と、擬似画像生成部２８３と、撮像制御部２８４と、位置判定部２８５とを備える。
第１通信制御部２８１は、第１通信部２４の動作を制御し、通信機器３との間で無線通信を行う。
具体的に、第１通信制御部２８１は、第１通信部２４を介して、撮像部２０が連続的に生成し第１メモリ部２５に順次、記憶されたライブビュー画像データを順次、通信機器３に送信する。また、第１通信制御部２８１は、撮像装置２のユーザによる第１入力部２３への撮影スポットのアドバイスを受けるための操作（以下、アドバイス依頼操作と記載）に応じて、すなわち、第１入力部２３からの指示信号に基づいて、第１通信部２４を介して、位置取得部２１及び第１方位取得部２２にてそれぞれ取得された位置情報及び第１方位情報を通信機器３に送信する。さらに、第１通信制御部２８１は、第１通信部２４を介して、通信機器３から動作指示情報を受信する。
【００３２】
第１表示制御部２８２は、表示機構２Ｂを構成する第１表示部２９１の動作を制御し、第１表示部２９１に画像を表示させる。
具体的に、第１表示制御部２８２は、第１メモリ部２５に記憶されたライブビュー画像データを読み出し、当該ライブビュー画像データに対応するライブビュー画像を第１表示部２９１に表示（ライブビュー表示）させる。また、第１表示制御部２８２は、ライブビュー画像に対して、擬似画像生成部２８３にて生成された擬似画像を重畳した重畳画像を第１表示部２９１に表示させる。さらに、第１表示制御部２８２は、画像データ記録部２６２に記録された画像データを読み出し、当該画像データに対応する画像を第１表示部２９１に表示させる。
ここで、第１表示制御部２８２は、回転判定部２７にて第１表示部２９１が自分撮り位置（図３）に位置していると判定された場合には、本体部２Ａに対して表示対象とする画像を反転させて第１表示部２９１に表示させる（ミラー反転表示）。
なお、第１表示制御部２８２は、表示対象とする画像を本体部２Ａに対して反転させた後、当該画像をさらに左右反転させて第１表示部２９１に表示させても構わない。また、第１表示制御部２８２は、表示対象とする画像を反転させることなく、そのままの状態で第１表示部２９１に表示させても構わない。
【００３３】
擬似画像生成部２８３は、第１通信部２４を介して動作指示情報を受信した場合に、当該動作指示情報に基づく動作指示に応じた撮像装置２のユーザの動作を擬似的に表現した擬似画像を生成する。
本実施の形態１では、動作指示情報は、特定の場所での撮影を指示する第１動作指示（撮影スポットのアドバイス）に関する第１動作指示情報である。
そして、擬似画像生成部２８３は、第１動作指示情報を受信した時点で位置取得部２１及び第１方位取得部２２にてそれぞれ取得された位置情報及び第１方位情報、並びに当該第１動作指示情報に基づいて、撮像装置２のユーザを第１動作指示情報に基づく撮影スポットに導くための擬似画像（以下、第１擬似画像と記載）を生成する。
【００３４】
撮像制御部２８４は、撮像装置２のユーザによる第１入力部２３への撮影操作に応じて、撮像部２０に被写体を撮像させ、当該撮像により撮像部２０にて生成された画像データを画像データ記録部２６２に記録する。
位置判定部２８５は、第１メモリ部２５に記憶された第１動作指示情報、及び位置取得部２１にて取得された位置情報に基づいて、撮像装置２の現在位置が第１動作指示情報に基づく撮影スポット（目標位置）から所定距離の範囲内に位置しているか否かを判定する。
【００３５】
表示機構２Ｂは、図２または図３に示すように、本体部２Ａに対して回動可能に設けられ、撮像装置２のユーザ側（背面側）の基準位置（図２）、または、被写体側（前面側）の自分撮り位置（図３）に位置付けられる。
この表示機構２Ｂは、図１ないし図３に示すように、第１表示部２９１と、可動部２９２と、回転支持部２９３とを備える。
【００３６】
第１表示部２９１は、液晶または有機ＥＬ（Ｅｌｅｃｔｒｏ  Ｌｕｍｉｎｅｓｃｅｎｃｅ）等からなる表示パネルを用いて構成され、第１表示制御部２８２による制御の下、ライブビュー画像や、第１重畳画像を表示する。また、第１表示部２９１は、撮像装置２の操作情報及び撮影に関する情報等を適宜、表示する。
可動部２９２は、第１表示部２９１が取り付けられ、ヒンジ等の回転支持部２９３を介して本体部２Ａの一端を中心にして回動可能に本体部２Ａに取り付けられる。
具体的には、可動部２９２は、回転支持部２９３の軸Ｒを中心として、第１表示部２９１が基準位置（図２）または自分撮り位置（図３）に位置するように、本体部２Ａに対して回動可能に取り付けられる。
【００３７】
〔通信機器の構成〕
通信機器３は、撮像装置２と無線通信を行う機器であり、例えば、デジタルカメラ、デジタルビデオカメラ、携帯電話やタブレット型携帯機器、または、パーソナルコンピュータ等として構成される。
なお、以下では、通信機器３の構成として、本発明の要部を主に説明する。
この通信機器３は、図１に示すように、第２表示部３１と、第２入力部３２と、第２通信部３３と、第２メモリ部３４と、第２記録部３５と、第２制御部３６とを備える。
【００３８】
第２表示部３１は、液晶または有機ＥＬ等からなる表示パネルを用いて構成され、第２制御部３６による制御の下、種々の画像を表示する。
第２入力部３２は、ボタン、スイッチ、タッチパネル、マイクロフォン等を用いて構成されている。
すなわち、第２入力部（ボタン、スイッチ）３２は、通信機器３のユーザによるユーザ操作を受け付け、当該ユーザ操作に応じた指示信号を第２制御部３６に出力する。また、第２入力部（タッチパネル）３２は、外部からの物体のタッチを検出し、検出したタッチ位置に応じた位置信号を第２制御部３６に出力する。さらに、第２入力部（マイクロフォン等）３２は、通信機器３のユーザが発した言葉（音声）を入力して電気信号に変換し、変換した電気信号を標本化及び量子化を施してＡ／Ｄ変換を行うことによって音声データを生成し、当該音声データを第２制御部３６に出力する。
そして、第２入力部３２は、本発明に係る第２操作受付部としての機能を有する。
【００３９】
第２通信部３３は、第２制御部３６による制御の下、撮像装置２との間でライブビュー画像データや通信に必要な信号を含む各種データの無線通信を所定のプロトコルに従って行う。
第２メモリ部３４は、撮像装置２から送信され第２通信部３３を介して受信したライブビュー画像データや、位置情報及び第１方位情報等を記憶する。
第２記録部３５は、図１に示すように、第２プログラム記録部３５１と、地図情報記録部３５２とを備える。
第２プログラム記録部３５１は、第２制御部３６が実行する各種プログラム、及びプログラムの実行中に使用される各種データ等を記録する。
地図情報記録部３５２は、各地点の経度及び緯度を含む地図情報を記録する。
【００４０】
第２制御部３６は、ＣＰＵ等を用いて構成され、第２入力部３２からの指示信号、位置信号、あるいは音声データ等に応じて通信機器３を構成する各部に対応する指示やデータの転送等を行って通信機器３の動作を統括的に制御する。
この第２制御部３６は、図１に示すように、第２通信制御部３６１と、第２表示制御部３６２と、動作指示情報生成部３６３とを備える。
第２通信制御部３６１は、第２通信部３３の動作を制御し、撮像装置２との間で無線通信を行う。
具体的に、第２通信制御部３６１は、第２通信部３３を介して、撮像装置２からライブビュー画像データを順次、受信するとともに、動作指示情報生成部３６３にて生成された動作指示情報を撮像装置２に送信する。
【００４１】
第２表示制御部３６２は、第２表示部３１に種々の画像（例えば、第２通信部３３を介して受信したライブビュー画像データに対応するライブビュー画像）を表示させる。
動作指示情報生成部３６３は、通信機器３のユーザによる第２入力部３２への動作指示に関する操作に応じて、すなわち、第２入力部３２からの指示信号、位置信号、あるいは音声データに基づいて、撮像装置２のユーザに対する動作指示に関する動作指示情報を生成する。
本実施の形態１では、動作指示情報生成部３６３は、通信機器３のユーザによる第２入力部３２への第１動作指示（撮影スポットのアドバイス）に関する操作（以下、第１アドバイス操作と記載）に応じて、当該第１動作指示に関する第１動作指示情報（撮影スポット（目標位置）の経度及び緯度に関する情報）を生成する。
上述した第１アドバイス操作は、本発明に係る第２操作に相当する。
【００４２】
〔撮像システムの動作〕
次に、上述した撮像システム１の動作について説明する。
以下では、撮像システム１の動作として、撮像装置２の動作（本発明に係る撮像方法）、及び通信機器３の動作を順に説明する。
【００４３】
〔撮像装置の動作〕
図４は、撮像装置２の動作を示すフローチャートである。
撮像装置２のユーザによる第１入力部２３への操作によって撮像装置２の電源がオンになる（ステップＳ１０１：Ｙｅｓ）と、第１制御部２８は、撮像部２０に撮像を開始させる（ステップＳ１０２）。そして、撮像部２０にて生成された画像データは、順次、第１メモリ部２５に記憶される。
続いて、第１通信制御部２８１は、第１通信部２４を介して、第１メモリ部２５に記憶された最新のライブビュー画像データを順次、通信機器３に送信する（ステップＳ１０３）。
【００４４】
続いて、第１制御部２８は、後述するステップＳ１１０において第１重畳画像の表示を開始し、当該第１重畳画像の表示中であるか否かを判断する（ステップＳ１０４）。
第１重畳画像の表示中であると判断された場合（ステップＳ１０４：Ｙｅｓ）には、撮像装置２は、ステップＳ１０９に移行する。
一方、第１重畳画像の表示中ではないと判断された場合（ステップＳ１０４：Ｎｏ）には、第１表示制御部２８２は、第１メモリ部２５に記憶された最新のライブビュー画像データを読み出し、第１表示部２９１にライブビュー表示を開始させる（ステップＳ１０５）。
【００４５】
ステップＳ１０５の後、第１通信制御部２８１は、撮像装置２のユーザによる第１入力部２３へのアドバイス依頼操作があったか否かを判断する（ステップＳ１０６）。
第１通信制御部２８１は、アドバイス依頼操作があったと判断した場合（ステップＳ１０６：Ｙｅｓ）には、当該操作があった時点で位置取得部２１及び第１方位取得部２２にてそれぞれ取得された位置情報及び第１方位情報を、第１通信部２４を介して、通信機器３に送信する（ステップＳ１０７）。
一方、アドバイス依頼操作がないと判断された場合（ステップＳ１０６：Ｎｏ）には、撮像装置２は、ステップＳ１０８に移行する。
【００４６】
ステップＳ１０７の後、または、アドバイス依頼操作がないと判断した場合（ステップＳ１０６：Ｎｏ）、第１通信制御部２８１は、第１通信部２４を介して、通信機器３から第１動作指示情報（撮影スポット（目標位置）の経度及び緯度に関する情報）を受信したか否かを判断する（ステップＳ１０８）。
第１動作指示情報を受信していないと判断された場合（ステップＳ１０８：Ｎｏ）には、撮像装置２は、ステップＳ１１３に移行する。
一方、第１動作指示情報を受信したと判断された場合（ステップＳ１０８：Ｙｅｓ）には、第１制御部２８は、第１動作指示情報を第１メモリ部２５に記憶する。そして、擬似画像生成部２８３は、第１擬似画像を生成する（ステップＳ１０９：擬似画像生成ステップ）。なお、第１重畳画像の表示中であると判断された場合（ステップＳ１０４：Ｙｅｓ）にも、擬似画像生成部２８３は、ステップＳ１０９において、第１擬似画像を生成する。
【００４７】
ステップＳ１０９の後、第１表示制御部２８２は、第１メモリ部２５に記憶された最新のライブビュー画像データに対応するライブビュー画像に対して、ステップＳ１０９にて生成された第１擬似画像を重畳した第１重畳画像を第１表示部２９１に表示させる（ステップＳ１１０：表示ステップ）。
続いて、位置判定部２８５は、第１メモリ部２５に記憶された第１動作指示情報、及び位置取得部２１にて取得された位置情報に基づいて、撮像装置２の現在位置が第１動作指示情報に基づく目標位置（撮影スポットの位置）から所定距離の範囲内に位置しているか否かを判定する（ステップＳ１１１）。
撮像装置２の現在位置が目標位置から所定距離の範囲内に位置していないと判定された場合（ステップＳ１１１：Ｎｏ）には、撮像装置２は、ステップＳ１１３に移行する。
一方、撮像装置２の現在位置が目標位置から所定距離の範囲内に位置していると判定された場合（ステップＳ１１１：Ｙｅｓ）には、第１表示制御部２８２は、第１表示部２９１の表示状態を、第１重畳画像の表示から、ライブビュー表示に切り替える（ステップＳ１１２）。
【００４８】
ステップＳ１１２の後、ステップＳ１０８において第１動作指示情報を受信していないと判断された場合（ステップＳ１０８：Ｎｏ）、またはステップＳ１１１において撮像装置２の現在位置が目標位置から所定距離の範囲内に位置していないと判定された場合（ステップＳ１１１：Ｎｏ）には、撮像制御部２８４は、撮像装置２のユーザによる第１入力部２３への撮影操作があったか否かを判断する（ステップＳ１１３）。
撮影操作がないと判断された場合（ステップＳ１１３：Ｎｏ）には、撮像装置２は、ステップＳ１０１に戻る。
一方、撮影操作があったと判断した場合（ステップＳ１１３：Ｙｅｓ）には、撮像制御部２８４は、撮像部２０に被写体を撮像させ、当該撮像により撮像部２０にて生成された画像データを画像データ記録部２６２に記録する（ステップＳ１１４）。この後、撮像装置２は、ステップＳ１０１に戻る。
【００４９】
〔通信機器の動作〕
図５は、通信機器３の動作を示すフローチャートである。
通信機器３のユーザによる第２入力部３２への操作によって通信機器３の電源がオンになる（ステップＳ２０１）と、第２通信制御部３６１は、撮像装置２から第２通信部３３を介してライブビュー画像データを受信したか否かを判断する（ステップＳ２０２）。
ライブビュー画像データを受信していないと判断された場合（ステップＳ２０２：Ｎｏ）には、通信機器３は、ステップＳ２０１に戻る。
一方、ライブビュー画像データを受信したと判断された場合（ステップＳ２０２：Ｙｅｓ）には、第２制御部３６は、受信したライブビュー画像データを順次、第２メモリ部３４に記憶する。また、第２制御部３６は、後述するステップＳ２０６において指定画面の表示を開始し、当該指定画面の表示中であるか否かを判断する（ステップＳ２０３）。
【００５０】
指定画面の表示中であると判断された場合（ステップＳ２０３：Ｙｅｓ）には、通信機器３は、ステップＳ２０６に移行する。
一方、指定画面の表示中ではないと判断された場合（ステップＳ２０３：Ｎｏ）には、第２表示制御部３６２は、第２メモリ部３４に記憶されたライブビュー画像データを順次、読み出し、第２表示部３１に当該ライブビュー画像データに対応するライブビュー画像を表示（ライブビュー表示）させる（ステップＳ２０４）。
【００５１】
続いて、第２通信制御部３６１は、第２通信部３３を介して、撮像装置２から当該撮像装置２の位置情報及び第１方位情報を受信したか否かを判断する（ステップＳ２０５）。
撮像装置２の位置情報及び第１方位情報を受信していないと判断された場合（ステップＳ２０５：Ｎｏ）には、通信機器３は、ステップＳ２０１に戻る。
一方、撮像装置２の位置情報及び第１方位情報を受信したと判断された場合（ステップＳ２０５：Ｙｅｓ）には、第２表示制御部３６２は、撮像装置２のユーザに対して撮影スポットをアドバイスするための指定画面を第２表示部３１に表示させる（ステップＳ２０６）。
【００５２】
続いて、動作指示情報生成部３６３は、通信機器３のユーザによる第２入力部３２への第１アドバイス操作があったか否かを判断する（ステップＳ２０７）。
第１アドバイス操作がないと判断された場合（ステップＳ２０７：Ｎｏ）には、通信機器３は、ステップＳ２０１に戻る。
一方、第１アドバイス操作があったと判断した場合（ステップＳ２０７：Ｙｅｓ）には、動作指示情報生成部３６３は、第１動作指示に関する第１動作指示情報を生成する（ステップＳ２０８）。
続いて、第２通信制御部３６１は、第２通信部３３を介して、ステップＳ２０８にて生成された第１動作指示情報を撮像装置２に送信する（ステップＳ２０９）。この後、通信機器３は、ステップＳ２０１に戻る。
【００５３】
〔表示形態の具体例〕
以上説明した撮像システム１の動作時に撮像装置２及び通信機器３に表示される画像の具体例について説明する。
以下では、撮像装置２のユーザがアドバイス依頼操作を行った場合、通信機器３のユーザが第１アドバイス操作を行った場合に、撮像装置２及び通信機器３に表示される画像を順に説明する。
【００５４】
〔アドバイス依頼操作〕
図６は、撮像システム１の動作時における撮像装置２のユーザの姿勢を模式的に示す図である。図７は、撮像システム１の動作時に撮像装置２のユーザがアドバイス依頼操作を行った場合に撮像装置２及び通信機器３に表示される画像の一例を示す図である。
以下では、図６に示すように、撮像装置２のユーザＣＵが第１表示部２９１を自分撮り位置に位置付けた撮像装置２を左手で把持しながらユーザＣＵ自身を被写体として撮影する自分撮り撮影を行う場合を例に説明する。
例えば、撮像装置２におけるライブビュー表示（ステップＳ１０５）として、現在表示しているライブビュー画像を図７（ａ）に示すライブビュー画像Ｗ１００とする。
ここで、撮像装置２のユーザＣＵは、通信機器３のユーザから撮影スポットのアドバイスを受けたい場合には、第１入力部２３に対してアドバイス依頼操作（例えば、第１入力部２３を構成するボタンのうちのいずれかのボタンを押下する操作等）を行う。そして、撮像装置２は、第１入力部２３からの指示信号に基づいて、アドバイス依頼操作があったと判断し（ステップＳ１０６：Ｙｅｓ）、当該操作があった時点での撮像装置２の位置情報及び第１方位情報を通信機器３に送信する（ステップＳ１０７）。
【００５５】
一方、通信機器３は、撮像装置２の位置情報及び第１方位情報を受信する（ステップＳ２０５：Ｙｅｓ）と、図７（ｂ）に示す指定画面Ｓｐを表示する（ステップＳ２０６）。
具体的に、ステップＳ２０６において、第２表示制御部３６２は、地図情報記録部３５２から、撮像装置２の位置情報に基づく経度及び緯度を含む所定の縮尺の地図情報を読み出す。また、第２表示制御部３６２は、第２メモリ部３４に記憶された最新のライブビュー画像を読み出す。そして、第２表示制御部３６２は、図７（ｂ）に示すように、上記地図情報に対応する地図画像Ｍに対して、上記最新のライブビュー画像データに対応するライブビュー画像Ｗ２００を重畳する。さらに、第２表示制御部３６２は、当該地図画像Ｍに対して、撮像装置２の位置情報及び第１方位情報に基づいて、地図画像Ｍ中の撮像装置２の位置及び方位をそれぞれ示す位置画像（黒丸）Ｐ及び第１方位画像（矢印）Ｏを重畳する。そして、第２表示制御部３６２は、地図画像Ｍに対してライブビュー画像Ｗ２００、位置画像Ｐ及び第１方位画像Ｏを重畳した指定画面Ｓｐを第２表示部３１に表示させる。
なお、図７（ｂ）の例では、撮像装置２は、地図画像Ｍ中において、位置画像Ｐの位置に第１方位画像Ｏの矢印の方向（左方向）を向く姿勢で、撮像装置２のユーザＣＵに把持されている。言い換えれば、撮像装置２のユーザＣＵは、地図画像Ｍ中において、第１方位画像Ｏの矢印の先端側の位置に当該矢印の基端側（右方向）を向く姿勢で立っている。
【００５６】
ここで、撮像装置２は、最新のライブビュー画像データを順次、送信しながら（ステップＳ１０３）、当該最新のライブビュー画像データに対応するライブビュー画像Ｗ１００を順次、表示する（ステップＳ１０５）。そして、通信機器３は、ステップＳ２０４やステップＳ２０６において、最新のライブビュー画像データに対応するライブビュー画像Ｗ２００を順次、表示する。このため、図７（ｂ）に示すように、通信機器３が表示するライブビュー画像Ｗ２００は、撮像装置２にて表示されているライブビュー画像Ｗ１００（図７（ａ））と略同一の画像となる。
【００５７】
〔第１アドバイス操作〕
通信機器３のユーザは、当該通信機器３に表示された指定画面Ｓｐを確認する。そして、通信機器３のユーザは、撮像装置２のユーザＣＵに対して撮影スポットのアドバイスをしたい場合（例えば、地図画像Ｍ中で撮像装置２のユーザＣＵの位置の近くにある撮影スポットをアドバイスしたい場合等）には、通信機器３における表示画面上（第２入力部（タッチパネル）３２）の指定撮影スポットＳ１〜Ｓ６（図８ないし図１３参照）を指でタッチする。
以下、指定撮影スポットＳ１〜Ｓ６が指示された場合を順に説明する。
【００５８】
〔指定撮影スポットＳ１が指示された場合〕
図８は、撮像システム１の動作時に通信機器３のユーザが行う第１アドバイス操作（指定撮影スポットＳ１の指示）、及び撮像装置２に表示される第１重畳画像の一例を示す図である。
なお、図８（ｂ）に示す指定画面Ｓｐは、図７（ｂ）に示した指定画面Ｓｐと同一の指定画面である。図９（ｂ）、図１０（ｂ）、図１１（ｂ）、図１２（ｂ）、及び図１３（ｂ）に示す指定画面Ｓｐも同様である。
撮像装置２のユーザＣＵから見て右側に位置する指定撮影スポットＳ１が指示された場合には、通信機器３は、第２入力部（タッチパネル）３２からの位置信号に基づいて、第１アドバイス操作があったと判断する（ステップＳ２０７：Ｙｅｓ）。そして、通信機器３は、第１動作指示情報（地図画像Ｍ中のタッチ位置に対応する指定撮影スポットＳ１の経度及び緯度に関する情報）を生成し（ステップＳ２０８）、当該第１動作指示情報を撮像装置２に送信する（ステップＳ２０９）。
【００５９】
一方、撮像装置２は、第１動作指示情報を受信する（ステップＳ１０８：Ｙｅｓ）と、ステップＳ１０９において、当該第１動作指示情報を受信した時点で位置取得部２１及び第１方位取得部２２にてそれぞれ取得された位置情報及び第１方位情報、並びに当該第１動作指示情報に基づいて、撮像装置２における現在の位置及び方位と指定撮影スポットＳ１の位置（目標位置）との位置関係を認識する。具体的に、撮像装置２は、目標位置が撮像装置２のユーザＣＵの右側(撮像装置２の左側)であることを認識する。そして、撮像装置２は、撮像装置２のユーザＣＵを目標位置に導くために、人が右側（撮像装置２のユーザＣＵの右側）に歩いていく動作を擬似的に表現した第１擬似画像Ｑ１Ａ（図８（ａ））を生成する。また、撮像装置２は、撮像装置２の現在位置、及び目標位置に基づいて、撮像装置２の現在位置から目標位置までの距離に関する距離情報（距離画像Ｄ（図８（ａ）））を生成する。そして、撮像装置２は、最新のライブビュー画像データに対応するライブビュー画像Ｗ１００に対して、第１擬似画像Ｑ１Ａ、距離画像Ｄ、及び右方向の矢印画像Ａ１Ａ（図８（ａ））を重畳した第１重畳画像Ｓｕ１Ａ（図８（ａ））を表示する（ステップＳ１１０）。
【００６０】
〔指定撮影スポットＳ２が指示された場合〕
図９は、撮像システム１の動作時に通信機器３のユーザが行う第１アドバイス操作（指定撮影スポットＳ２の指示）、及び撮像装置２に表示される第１重畳画像の一例を示す図である。
撮像装置２のユーザＣＵから見て左側に位置する指定撮影スポットＳ２が指示された場合には、通信機器３は、地図画像Ｍ中のタッチ位置に対応する指定撮影スポットＳ２の経度及び緯度に関する情報を含む第１動作指示情報を生成し（ステップＳ２０８）、当該第１動作指示情報を撮像装置２に送信する（ステップＳ２０９）。
【００６１】
一方、撮像装置２は、第１動作指示情報を受信する（ステップＳ１０８：Ｙｅｓ）と、ステップＳ１０９において、上記指定撮影スポットＳ１が指示された場合と同様の処理により、指定撮影スポットＳ２の位置（目標位置）が撮像装置２のユーザＣＵの左側であることを認識する。そして、撮像装置２は、人が左側に歩いていく動作を擬似的に表現した第１擬似画像Ｑ１Ｂ（図９（ａ））を生成する。また、撮像装置２は、上記指定撮影スポットＳ１が指示された場合と同様の処理により、撮像装置２の現在位置から目標位置までの距離に関する距離情報（距離画像Ｄ（図９（ａ）））を生成する。そして、撮像装置２は、ライブビュー画像Ｗ１００に対して、第１擬似画像Ｑ１Ｂ、距離画像Ｄ、及び左方向の矢印画像Ａ１Ｂ（図９（ａ））を重畳した第１重畳画像Ｓｕ１Ｂ（図９（ａ））を表示する（ステップＳ１１０）。
【００６２】
〔指定撮影スポットＳ３が指示された場合〕
図１０は、撮像システム１の動作時に通信機器３のユーザが行う第１アドバイス操作（指定撮影スポットＳ３の指示）、及び撮像装置２に表示される第１重畳画像の一例を示す図である。
撮像装置２のユーザＣＵから見て後方側に位置する指定撮影スポットＳ３が指示された場合には、通信機器３は、地図画像Ｍ中のタッチ位置に対応する指定撮影スポットＳ３の経度及び緯度に関する情報を含む第１動作指示情報を生成し（ステップＳ２０８）、当該第１動作指示情報を撮像装置２に送信する（ステップＳ２０９）。
【００６３】
一方、撮像装置２は、第１動作指示情報を受信する（ステップＳ１０８：Ｙｅｓ）と、ステップＳ１０９において、上記指定撮影スポットＳ１が指示された場合と同様の処理により、指定撮影スポットＳ３の位置（目標位置）が撮像装置２のユーザＣＵの後方側であることを認識する。そして、撮像装置２は、人が後方側に歩いていく動作を擬似的に表現（歩いている人が徐々に小さくなっていく）した第１擬似画像Ｑ１Ｃ（図１０（ａ））を生成する。また、撮像装置２は、上記指定撮影スポットＳ１が指示された場合と同様の処理により、撮像装置２の現在位置から目標位置までの距離に関する距離情報（距離画像Ｄ（図１０（ａ）））を生成する。そして、撮像装置２は、ライブビュー画像Ｗ１００に対して、第１擬似画像Ｑ１Ｃ及び距離画像Ｄを重畳した第１重畳画像Ｓｕ１Ｃ（図１０（ａ））を表示する（ステップＳ１１０）。
【００６４】
〔指定撮影スポットＳ４が指示された場合〕
図１１は、撮像システム１の動作時に通信機器３のユーザが行う第１アドバイス操作（指定撮影スポットＳ４の指示）、及び撮像装置２に表示される第１重畳画像の一例を示す図である。
撮像装置２のユーザＣＵから見て前方側に位置する指定撮影スポットＳ４が指示された場合には、通信機器３は、地図画像Ｍ中のタッチ位置に対応する指定撮影スポットＳ４の経度及び緯度に関する情報を含む第１動作指示情報を生成し（ステップＳ２０８）、当該第１動作指示情報を撮像装置２に送信する（ステップＳ２０９）。
【００６５】
一方、撮像装置２は、第１動作指示情報を受信する（ステップＳ１０８：Ｙｅｓ）と、ステップＳ１０９において、上記指定撮影スポットＳ１が指示された場合と同様の処理により、指定撮影スポットＳ４の位置（目標位置）が撮像装置２のユーザＣＵの前方側であることを認識する。そして、撮像装置２は、人が前方側に歩いていく動作を擬似的に表現（歩いている人が徐々に大きくなっていく）した第１擬似画像Ｑ１Ｄ（図１１（ａ））を生成する。また、撮像装置２は、上記指定撮影スポットＳ１が指示された場合と同様の処理により、撮像装置２の現在位置から目標位置までの距離に関する距離情報（距離画像Ｄ（図１１（ａ）））を生成する。そして、撮像装置２は、ライブビュー画像Ｗ１００に対して、第１擬似画像Ｑ１Ｄ及び距離画像Ｄを重畳した第１重畳画像Ｓｕ１Ｄ（図１１（ａ））を表示する（ステップＳ１１０）。
【００６６】
〔指定撮影スポットＳ５が指示された場合〕
図１２は、撮像システム１の動作時に通信機器３のユーザが行う第１アドバイス操作（指定撮影スポットＳ５の指示）、及び撮像装置２に表示される第１重畳画像の一例を示す図である。
撮像装置２のユーザＣＵから見て右斜め後方側に位置する指定撮影スポットＳ５が指示された場合には、通信機器３は、地図画像Ｍ中のタッチ位置に対応する指定撮影スポットＳ５の経度及び緯度に関する情報を含む第１動作指示情報を生成し（ステップＳ２０８）、当該第１動作指示情報を撮像装置２に送信する（ステップＳ２０９）。
【００６７】
一方、撮像装置２は、第１動作指示情報を受信する（ステップＳ１０８：Ｙｅｓ）と、ステップＳ１０９において、上記指定撮影スポットＳ１が指示された場合と同様の処理により、指定撮影スポットＳ５の位置（目標位置）が撮像装置２のユーザＣＵの右斜め後方側であることを認識する。そして、撮像装置２は、人が右斜め後方側に歩いていく動作を擬似的に表現（歩いている人が右側に移動しながら徐々に小さくなっていく）した第１擬似画像Ｑ１Ｅ（図１２（ａ））を生成する。また、撮像装置２は、上記指定撮影スポットＳ１が指示された場合と同様の処理により、撮像装置２の現在位置から目標位置までの距離に関する距離情報（距離画像Ｄ（図１２（ａ）））を生成する。そして、撮像装置２は、ライブビュー画像Ｗ１００に対して、第１擬似画像Ｑ１Ｅ、距離画像Ｄ、及び右側を向き、かつ、右側に向かうにしたがって細くなる矢印画像Ａ１Ｅ（図１２（ａ））を重畳した第１重畳画像Ｓｕ１Ｅ（図１２（ａ））を表示する（ステップＳ１１０）。
【００６８】
〔指定撮影スポットＳ６が指示された場合〕
図１３は、撮像システム１の動作時に通信機器３のユーザが行う第１アドバイス操作（指定撮影スポットＳ６の指示）、及び撮像装置２に表示される第１重畳画像の一例を示す図である。
撮像装置２のユーザＣＵから見て左斜め前方側に位置する指定撮影スポットＳ６が指示された場合には、通信機器３は、地図画像Ｍ中のタッチ位置に対応する指定撮影スポットＳ６の経度及び緯度に関する情報を含む第１動作指示情報を生成し（ステップＳ２０８）、当該第１動作指示情報を撮像装置２に送信する（ステップＳ２０９）。
【００６９】
一方、撮像装置２は、第１動作指示情報を受信する（ステップＳ１０８：Ｙｅｓ）と、ステップＳ１０９において、上記指定撮影スポットＳ１が指示された場合と同様の処理により、指定撮影スポットＳ６の位置（目標位置）が撮像装置２のユーザＣＵの左斜め前方側であることを認識する。そして、撮像装置２は、人が左斜め前方側に歩いていく動作を擬似的に表現（歩いている人が左側に移動しながら徐々に大きくなっていく）した第１擬似画像Ｑ１Ｆ（図１３（ａ））を生成する。また、撮像装置２は、上記指定撮影スポットＳ１が指示された場合と同様の処理により、撮像装置２の現在位置から目標位置までの距離に関する距離情報（距離画像Ｄ（図１３（ａ）））を生成する。そして、撮像装置２は、ライブビュー画像Ｗ１００に対して、第１擬似画像Ｑ１Ｆ、距離画像Ｄ、及び左側を向き、かつ、左側に向かうにしたがって太くなる矢印画像Ａ１Ｆ（図１３（ａ））を重畳した第１重畳画像Ｓｕ１Ｆ（図１３（ａ））を表示する（ステップＳ１１０）。
【００７０】
以上説明した本実施の形態１に係る撮像装置２は、外部の通信機器３から動作指示情報を受信した場合に、当該動作指示情報に基づく動作指示に応じた当該撮像装置２のユーザの動作を擬似的に表現した擬似画像を生成する。そして、撮像装置２は、当該擬似画像を表示する。
このため、撮像装置２のユーザは、当該撮像装置２に表示された擬似画像により、通信機器３のユーザが指示した動作指示を認識し、当該動作指示に応じた動作を行うことができる。すなわち、通信機器３のユーザは、携帯電話等の他の通信手段を利用することなく、撮像装置２のユーザに対して種々のアドバイスをすることができる。
特に、撮像装置２は、動作指示（アドバイス）に応じて、文字や矢印等の図形ではなく、上述した擬似画像を生成して表示する。このため、撮像装置２のユーザは、当該撮像装置２特有の用語を知らない場合や、当該撮像装置２の取り扱いに不慣れな場合であっても、当該擬似画像により、通信機器３のユーザからの動作指示を明確に認識することができる。
したがって、本実施の形態１に係る撮像装置２によれば、利便性の向上が図れる。
【００７１】
また、本実施の形態１に係る撮像装置２は、当該撮像装置２の位置情報及び第１方位情報をそれぞれ取得する位置取得部２１及び第１方位取得部２２を備える。
このため、動作指示情報が撮影スポットのアドバイスに関する第１動作指示情報（撮影スポットの経度及び緯度に関する情報を含む）である場合には、撮像装置２は、当該撮像装置２のユーザを現在位置から通信機器３のユーザが指示した撮影スポットまで導くための第１擬似画像を生成し表示することができる。また、撮像装置２は、当該撮像装置の現在位置から通信機器３のユーザが指示した撮影スポットまでの距離に関する距離画像を生成し表示することができる。
したがって、撮像装置２のユーザは、第１擬似画像及び距離画像を把握することで、通信機器３からの指示に従うか否かを即座に判断（例えば、撮影スポットまでの距離が遠いと判断した場合には指示に従わない）し、指示に従わない場合には、別の撮影スポットのアドバイスを受けるために、改めてアドバイス依頼操作を行うことができる。
【００７２】
また、本実施の形態１に係る撮像装置２は、当該撮像装置２のユーザによる第１入力部２３へのアドバイス依頼操作に応じて、当該操作があった時点で位置取得部２１にて取得された位置情報を通信機器３に送信する。
このため、通信機器３は、撮像装置２の位置情報に基づく経度及び緯度を含む所定の縮尺の地図を、撮像装置２のユーザに対して撮影スポットをアドバイスするための指定画面として表示することができる。
したがって、通信機器３のユーザは、当該指定画面から、撮像装置２の現在位置に比較的に近い撮影スポットをアドバイスすることができる。
【００７３】
また、本実施の形態１では、被写体は、撮像装置２のユーザである。そして、撮像装置２は、第１表示部２９１が自分撮り位置に位置付けられている場合には、本体部２Ａに対して表示対象とする画像を反転させて第１表示部２９１に表示する。
このため、撮像装置のユーザは、自分撮り撮影を行っている場合であっても、第１擬似画像に基づいて、撮影スポットの方向を明確に認識することができる。
【００７４】
また、本実施の形態１に係る撮像装置２は、ライブビュー画像データを通信機器３に送信する。そして、通信機器３は、受信したライブビュー画像データに対応するライブビュー画像を表示する。
このため、通信機器３のユーザは、被写体の服装等を把握し、当該被写体に合わせた撮影スポットをアドバイスすることができる。
【００７５】
（実施の形態２）
次に、本発明の実施の形態２について説明する。
以下の説明では、上述した実施の形態１と同様の構成及びステップには同一符号を付し、その詳細な説明は省略または簡略化する。
上述した実施の形態１では、撮像装置２は、通信機器３のユーザから撮影スポットのアドバイスを受けた場合（第１動作指示情報を受信した場合）にのみ、擬似画像（第１擬似画像）を生成し、ライブビュー画像に第１擬似画像を重畳した第１重畳画像を表示していた。
これに対して本実施の形態２では、撮像装置は、上記の場合に第１擬似画像の生成及び第１重畳画像の表示を行う他、カメラアングル等の撮像装置と被写体との位置関係のアドバイスを受けた場合（第２動作指示情報を受信した場合）に、擬似画像（第２擬似画像）を生成し、ライブビュー画像に第２擬似画像を重畳した第２重畳画像を表示する。
そして、本実施の形態２に係る撮像システムは、上述した実施の形態１で説明した撮像システム１と同様の構成である。
以下では、本実施の形態２に係る撮像システム１の動作（撮像装置２の動作（本発明に係る撮像方法）、及び通信機器３の動作）を説明する。
【００７６】
〔撮像装置の動作〕
図１４は、本発明の実施の形態２に係る撮像装置２の動作を示すフローチャートである。
本実施の形態２に係る撮像装置２の動作は、図１４に示すように、上述した実施の形態１で説明した撮像装置２の動作（図４）に対して、ステップＳ１１５〜Ｓ１２０を追加した点が異なるのみである。
このため、以下では、ステップＳ１１５〜Ｓ１２０のみを説明する。
【００７７】
ステップＳ１１５は、ステップＳ１０３の後に実行される。
具体的に、第１制御部２８は、後述するステップＳ１２０において第２重畳画像の表示を開始し、当該第２重畳画像の表示中であるか否かを判断する（ステップＳ１１５）。
第２重畳画像の表示中であると判断された場合（ステップＳ１１５：Ｙｅｓ）には、撮像装置２は、ステップＳ１１９に移行する。
一方、第１重畳画像の表示中ではないと判断された場合（ステップＳ１１５：Ｎｏ）には、撮像装置２は、ステップＳ１０４に移行する。
【００７８】
ステップＳ１１６は、ステップＳ１１２の後に実行される。
具体的に、第１通信制御部２８１は、撮像装置２のユーザによる第１入力部２３への撮影条件設定操作があったか否かを判断する（ステップＳ１１６）。
ここで、撮影条件設定操作は、撮像装置２と被写体との位置関係のアドバイスを受けるための操作であって、例えば、モデル風に撮影したい場合にその撮影条件（モデル風等）を入力すること等を例示することができる。
上述した撮影条件設定操作は、本発明に係る第１操作に相当する。そして、第１入力部２３は、本発明に係る第１操作受付部としての機能を有する。
【００７９】
撮影条件設定操作がないと判断された場合（ステップＳ１１６：Ｎｏ）には、撮像装置２は、ステップＳ１１３に移行する。
一方、撮影条件設定操作があったと判断した場合（ステップＳ１１６：Ｙｅｓ）には、第１通信制御部２８１は、第１通信部２４を介して、当該撮影条件設定操作により入力等された撮影条件に関する撮影条件情報を通信機器３に送信する（ステップＳ１１７）。
【００８０】
ステップＳ１１７の後、または、第１動作指示情報を受信していないと判断した場合（ステップＳ１０８：Ｎｏ）には、第１通信制御部２８１は、第１通信部２４を介して、通信機器３から第２動作指示情報を受信したか否かを判断する（ステップＳ１１８）。
第２動作指示情報を受信していないと判断された場合（ステップＳ１１８：Ｎｏ）には、撮像装置２は、ステップＳ１１３に移行する。
一方、第２動作指示情報を受信したと判断された場合（ステップＳ１１８：Ｙｅｓ）には、第１制御部２８は、第２動作指示情報を第１メモリ部２５に記憶する。そして、擬似画像生成部２８３は、第１メモリ部２５に記憶された第２動作指示情報に基づいて、撮像装置２のユーザに撮像装置２と被写体との位置関係を変更させるための第２擬似画像を生成する（ステップＳ１１９：擬似画像生成ステップ）。なお、第２重畳画像の表示中であると判断された場合（ステップＳ１１５：Ｙｅｓ）にも、擬似画像生成部２８３は、ステップＳ１１９において、第２擬似画像を生成する。
【００８１】
ステップＳ１１９の後、第１表示制御部２８２は、第１メモリ部２５に記憶された最新のライブビュー画像データに対応するライブビュー画像に対して、ステップＳ１１９にて生成された第２擬似画像を重畳した第２重畳画像を第１表示部２９１に表示させる（ステップＳ１２０：表示ステップ）。この後、撮像装置２は、ステップＳ１１３に移行する。
【００８２】
〔通信機器の動作〕
図１５は、本発明の実施の形態２に係る撮像装置２の動作を示すフローチャートである。
本実施の形態２に係る通信機器３の動作は、図１５に示すように、上述した実施の形態１で説明した撮像装置２の動作（図５）に対して、ステップＳ２１０〜Ｓ２１５を追加した点が異なるのみである。
このため、以下では、ステップＳ２１０〜Ｓ２１５のみを説明する。
【００８３】
ステップＳ２１０は、ライブビュー画像データを受信したと判断（ステップＳ２０２：Ｙｅｓ）された後に実行される。
具体的に、第１制御部２８は、後述するステップＳ２１２において条件重畳画像の表示を開始し、当該条件重畳画像の表示中であるか否かを判断する（ステップＳ２１０）。
条件重畳画像の表示中であると判断された場合（ステップＳ２１０：Ｙｅｓ）には、撮像装置２は、ステップＳ２１２に移行する。
一方、条件重畳画像の表示中ではないと判断された場合（ステップＳ２１０：Ｎｏ）には、撮像装置２は、ステップＳ２０４に移行する。
【００８４】
ステップＳ２１１は、撮像装置２の位置情報及び第１方位情報を受信していないと判断（ステップＳ２０５：Ｎｏ）された後に実行される。
具体的に、第２通信制御部３６１は、撮像装置２から第２通信部３３を介して撮影条件情報を受信したか否かを判断する（ステップＳ２１１）。
撮影条件情報を受信していないと判断された場合（ステップＳ２１１：Ｎｏ）には、通信機器３は、ステップＳ２０１に戻る。
一方、撮影条件情報を受信したと判断された場合（ステップＳ２１１：Ｙｅｓ）には、第２表示制御部３６２は、第２メモリ部３４に記憶された最新のライブビュー画像データに対応するライブビュー画像に対して、撮影条件情報に基づく撮影条件を重畳した条件重畳画像を第２表示部３１に表示させる（ステップＳ２１２）。
【００８５】
続いて、動作指示情報生成部３６３は、通信機器３のユーザによる第２入力部３２への第２動作指示（撮像装置２と被写体との位置関係のアドバイス）に関する操作（以下、第２アドバイス操作と記載）があったか否かを判断する（ステップＳ２１３）。
上述した第２アドバイス操作は、本発明に係る第２操作に相当する。
第２アドバイス操作がないと判断された場合（ステップＳ２１３：Ｎｏ）には、通信機器３は、ステップＳ２０１に戻る。
一方、第２アドバイス操作があったと判断した場合（ステップＳ２１３：Ｙｅｓ）には、動作指示情報生成部３６３は、第２動作指示に関する第２動作指示情報を生成する（ステップＳ２１４）。
続いて、第２通信制御部３６１は、第２通信部３３を介して、ステップＳ２１４にて生成された第２動作指示情報を撮像装置２に送信する（ステップＳ２１５）。この後、通信機器３は、ステップＳ２０１に戻る。
【００８６】
〔表示形態の具体例〕
以上説明した本実施の形態２に係る撮像システム１の動作時に通信機器３のユーザが行う第２アドバイス操作、及び撮像装置２に表示される第２重畳画像の具体例について説明する。
以下では、上述した実施の形態１（図６）と同様に、撮像装置２のユーザＣＵが当該ユーザＣＵ自身を被写体として撮影する自分撮り撮影を行う場合を例に説明する。
ステップＳ２１２では、通信機器３は、最新のライブビュー画像データに対応するライブビュー画像Ｗ２０１に対して、撮像装置２から受信した撮影条件情報に基づくモデル風等の撮影条件Ｃが重畳された条件重畳画像Ｓｃを表示する（図１６ないし図２２参照）。そして、通信機器３のユーザは、当該通信機器３に表示された条件重畳画像Ｓｃを確認することで、撮像装置２のユーザＣＵが求める撮影条件Ｃを把握する。
ここで、通信機器３のユーザは、撮像装置２のユーザＣＵに対して当該撮影条件Ｃに応じたアドバイス（撮像装置２と当該撮像装置２のユーザＣＵとの位置関係のアドバイス）をしたい場合には、当該アドバイスに応じた言葉を発する。
以下、通信機器３のユーザが第２アドバイス操作として言葉Ｗ１〜Ｗ７（図１６（ｂ）ないし図２２（ｂ）参照）を発した場合を順に説明する。
【００８７】
〔言葉Ｗ１を発した場合〕
図１６は、撮像システム１の動作時に通信機器３のユーザが行う第２アドバイス操作（言葉Ｗ１）、及び撮像装置２に表示される第２重畳画像の一例を示す図である。
通信機器３のユーザが「低く」等の言葉Ｗ１を発した場合には、通信機器３は、第２入力部（マイクロフォン等）３２からの音声データ（言葉Ｗ１に対応する音声データ）に基づいて、第２アドバイス操作があったと判断する（ステップＳ２１３：Ｙｅｓ）。また、通信機器３は、当該音声データを解析して、ローアングルでの撮影のアドバイス（第２動作指示）に関する第２動作指示情報を生成し（ステップＳ２１４）、撮像装置２に送信する（ステップＳ２１５）。
一方、撮像装置２は、第２動作指示情報を受信する（ステップＳ１１８：Ｙｅｓ）と、当該第２動作指示情報に基づいて、撮像装置２のユーザＣＵにローアングルでの撮影をさせるために、人が把持したカメラを下げていく動作を擬似的に表現した第２擬似画像Ｑ２Ａ（図１６（ａ））を生成する（ステップＳ１１９）。そして、撮像装置２は、最新のライブビュー画像データに対応するライブビュー画像Ｗ１０１に対して、第２擬似画像Ｑ２Ａ、及び下方向の矢印画像Ａ２Ａ（図１６（ａ））を重畳した第２重畳画像Ｓｕ２Ａ（図１６（ａ））を表示する（ステップＳ１２０）。
【００８８】
〔言葉Ｗ２を発した場合〕
図１７は、撮像システム１の動作時に通信機器３のユーザが行う第２アドバイス操作（言葉Ｗ２）、及び撮像装置２に表示される第２重畳画像の一例を示す図である。
通信機器３のユーザが「高く」等の言葉Ｗ２を発した場合には、通信機器３は、第２入力部３２からの言葉Ｗ２に対応する音声データを解析して、ハイアングルでの撮影のアドバイスに関する第２動作指示情報を生成し（ステップＳ２１４）、撮像装置２に送信する（ステップＳ２１５）。
一方、撮像装置２は、第２動作指示情報を受信する（ステップＳ１１８：Ｙｅｓ）と、当該第２動作指示情報に基づいて、撮像装置２のユーザＣＵにハイアングルでの撮影をさせるために、人が把持したカメラを上げていく動作を擬似的に表現した第２擬似画像Ｑ２Ｂ（図１７（ａ））を生成する（ステップＳ１１９）。そして、撮像装置２は、ライブビュー画像Ｗ１０１に対して、第２擬似画像Ｑ２Ｂ、及び上方向の矢印画像Ａ２Ｂ（図１７（ａ））を重畳した第２重畳画像Ｓｕ２Ｂ（図１７（ａ））を表示する（ステップＳ１２０）。
【００８９】
〔言葉Ｗ３を発した場合〕
図１８は、撮像システム１の動作時に通信機器３のユーザが行う第２アドバイス操作（言葉Ｗ３）、及び撮像装置２に表示される第２重畳画像の一例を示す図である。
通信機器３のユーザが「右」等の言葉Ｗ３を発した場合には、通信機器３は、第２入力部３２からの言葉Ｗ３に対応する音声データを解析して、右側からの撮影のアドバイスに関する第２動作指示情報を生成し（ステップＳ２１４）、撮像装置２に送信する（ステップＳ２１５）。
一方、撮像装置２は、第２動作指示情報を受信する（ステップＳ１１８：Ｙｅｓ）と、当該第２動作指示情報に基づいて、撮像装置２のユーザＣＵに右側から撮影をさせるために、人が把持したカメラを右側に移動していく動作を擬似的に表現した第２擬似画像Ｑ２Ｃ（図１８（ａ））を生成する（ステップＳ１１９）。そして、撮像装置２は、ライブビュー画像Ｗ１０１に対して、第２擬似画像Ｑ２Ｃ、及び右方向の矢印画像Ａ２Ｃ（図１８（ａ））を重畳した第２重畳画像Ｓｕ２Ｃ（図１８（ａ））を表示する（ステップＳ１２０）。
【００９０】
〔言葉Ｗ４を発した場合〕
図１９は、撮像システム１の動作時に通信機器３のユーザが行う第２アドバイス操作（言葉Ｗ４）、及び撮像装置２に表示される第２重畳画像の一例を示す図である。
通信機器３のユーザが「左」等の言葉Ｗ４を発した場合には、通信機器３は、第２入力部３２からの言葉Ｗ４に対応する音声データを解析して、左側からの撮影のアドバイスに関する第２動作指示情報を生成し（ステップＳ２１４）、撮像装置２に送信する（ステップＳ２１５）。
一方、撮像装置２は、第２動作指示情報を受信する（ステップＳ１１８：Ｙｅｓ）と、当該第２動作指示情報に基づいて、撮像装置２のユーザＣＵに左側から撮影をさせるために、人が把持したカメラを左側に移動していく動作を擬似的に表現した第２擬似画像Ｑ２Ｄ（図１９（ａ））を生成する（ステップＳ１１９）。そして、撮像装置２は、ライブビュー画像Ｗ１０１に対して、第２擬似画像Ｑ２Ｄ、及び左方向の矢印画像Ａ２Ｄ（図１９（ａ））を重畳した第２重畳画像Ｓｕ２Ｄ（図１９（ａ））を表示する（ステップＳ１２０）。
【００９１】
〔言葉Ｗ５を発した場合〕
図２０は、撮像システム１の動作時に通信機器３のユーザが行う第２アドバイス操作（言葉Ｗ５）、及び撮像装置２に表示される第２重畳画像の一例を示す図である。
通信機器３のユーザが「近く」等の言葉Ｗ５を発した場合には、通信機器３は、第２入力部３２からの言葉Ｗ５に対応する音声データを解析して、近い位置からの撮影のアドバイスに関する第２動作指示情報を生成し（ステップＳ２１４）、撮像装置２に送信する（ステップＳ２１５）。
一方、撮像装置２は、第２動作指示情報を受信する（ステップＳ１１８：Ｙｅｓ）と、当該第２動作指示情報に基づいて、撮像装置２のユーザＣＵに近い位置から撮影をさせるために、人が把持したカメラを当該人に近付けていく動作を擬似的に表現した第２擬似画像Ｑ２Ｅ（図２０（ａ））を生成する（ステップＳ１１９）。そして、撮像装置２は、ライブビュー画像Ｗ１０１に対して、第２擬似画像Ｑ２Ｅ、及びカメラから人に向かう矢印画像Ａ２Ｅ（図２０（ａ））を重畳した第２重畳画像Ｓｕ２Ｅ（図２０（ａ））を表示する（ステップＳ１２０）。
【００９２】
〔言葉Ｗ６を発した場合〕
図２１は、撮像システム１の動作時に通信機器３のユーザが行う第２アドバイス操作（言葉Ｗ６）、及び撮像装置２に表示される第２重畳画像の一例を示す図である。
通信機器３のユーザが「遠く」等の言葉Ｗ６を発した場合には、通信機器３は、第２入力部３２からの言葉Ｗ６に対応する音声データを解析して、遠い位置からの撮影のアドバイスに関する第２動作指示情報を生成し（ステップＳ２１４）、撮像装置２に送信する（ステップＳ２１５）。
一方、撮像装置２は、第２動作指示情報を受信する（ステップＳ１１８：Ｙｅｓ）と、当該第２動作指示情報に基づいて、撮像装置２のユーザＣＵに遠い位置から撮影をさせるために、人が把持したカメラを当該人から遠ざけていく動作を擬似的に表現した第２擬似画像Ｑ２Ｆ（図２１（ａ））を生成する（ステップＳ１１９）。そして、撮像装置２は、ライブビュー画像Ｗ１０１に対して、第２擬似画像Ｑ２Ｆ、及び人からカメラに向かう矢印Ａ２Ｆ（図２１（ａ））を重畳した第２重畳画像Ｓｕ２Ｆ（図２１（ａ））を表示する（ステップＳ１２０）。
【００９３】
〔言葉Ｗ７を発した場合〕
図２２は、撮像システム１の動作時に通信機器３のユーザが行う第２アドバイス操作（言葉Ｗ７）、及び撮像装置２に表示される第２重畳画像の一例を示す図である。
通信機器３のユーザが「止めて」等の言葉Ｗ７を発した場合には、通信機器３は、第２入力部３２からの言葉Ｗ７に対応する音声データを解析して、撮像装置２の位置が適切である旨のアドバイスに関する第２動作指示情報を生成し（ステップＳ２１４）、撮像装置２に送信する（ステップＳ２１５）。
一方、撮像装置２は、第２動作指示情報を受信する（ステップＳ１１８：Ｙｅｓ）と、当該第２動作指示情報に基づいて、撮像装置２のユーザＣＵに撮像装置２の移動を停止させるために、人を静止させる動作を擬似的に表現した第２擬似画像Ｑ２Ｇ（図２２（ａ））を生成する（ステップＳ１１９）。そして、撮像装置２は、ライブビュー画像Ｗ１０１に対して、第２擬似画像Ｑ２Ｇ、及び「Ｓｔｏｐ」という文字画像ＴＧ（図２２（ａ））を重畳した第２重畳画像Ｓｕ２Ｇ（図２２（ａ））を表示する（ステップＳ１２０）。
【００９４】
以上説明した本実施の形態２によれば、上述した実施の形態１と同様の効果の他、以下の効果を奏する。
本実施の形態２に係る撮像装置２は、動作指示情報が当該撮像装置２と被写体との位置関係のアドバイスに関する第２動作指示情報である場合には、当該撮像装置２と被写体との位置関係を変更するための第２擬似画像を生成し表示する。
このため、通信機器３のユーザは、携帯電話等の他の通信手段を利用することなく、撮像装置２のユーザに対して撮影スポットの他、撮像装置２と被写体との位置関係についてもアドバイスをすることができる。
【００９５】
また、本実施の形態２に係る撮像装置２は、通信機器３のユーザが指示した撮影スポットの近くに当該撮像装置２のユーザが到達した場合には、当該撮像装置２と被写体との位置関係のアドバイスを受けるモードに自動的に変更される。
このため、撮像装置２のユーザは、通信機器３のユーザから撮影スポットのアドバイスを受けた後、当該撮像装置２と被写体との位置関係のアドバイスを受けるために、再度、撮像装置２と通信機器３との通信を開始させる作業を行う必要がない。
【００９６】
また、本実施の形態２に係る撮像装置２は、当該撮像装置２のユーザによる第１入力部２３への撮影条件設定操作に応じて、当該操作により入力等された撮影条件に関する撮影条件情報を通信機器３に送信する。そして、通信機器３は、最新のライブビュー画像に対して撮影条件情報に基づく撮影条件を重畳した条件重畳画像を表示する。
このため、通信機器３のユーザは、当該条件重畳画像から、撮像装置２のユーザが希望する撮影条件（例えば、モデル風等）を把握し、当該撮影条件に応じたアドバイス（撮像装置２と被写体との位置関係のアドバイス）をすることができる。
【００９７】
（実施の形態２の変形例）
図２３は、本発明の実施の形態２の変形例に係る撮像システム１Ｃの構成を示すブロック図である。
上述した実施の形態２では、通信機器３は、当該通信機器３のユーザが発した言葉に応じて第２アドバイス操作があったと判断していた（ステップＳ２１３：Ｙｅｓ）が、これに限られない。
例えば、図２３に示すように、撮像システム１Ｃを構成する通信機器３Ｃとして、上述した実施の形態２で説明した通信機器３に対して、第１方位取得部２２と同様の機能を有する第２方位取得部３７を追加する。第２方位取得部３７は、通信機器３Ｃの方位（姿勢）に関する第２方位情報を取得する。そして、通信機器３Ｃは、条件重畳画像を表示している際（ステップＳ２１２）に、当該通信機器３Ｃのユーザにより通信機器３Ｃの姿勢が変更され、第２方位取得部３７にて取得された第２方位情報に基づく通信機器３Ｃの方位が変更された場合に、第２アドバイス操作があったと判断しても構わない。例えば、第２表示部３１の表示画面が上方に向くように通信機器３Ｃの姿勢が変更された場合には、通信機器３Ｃは、ローアングルでの撮影のアドバイスに関する第２動作指示情報を生成し、撮像装置２に送信する。
【００９８】
また、上述した実施の形態２では、通信機器３は、当該通信機器３のユーザが発した言葉（音声データ）を解析して第２動作指示情報を生成及び送信していたが、これに限られず、当該音声データを第２動作指示情報としてそのまま送信し、当該解析を撮像装置２に行わせる構成としても構わない。
【００９９】
（実施の形態３）
次に、本発明の実施の形態３について説明する。
以下の説明では、上述した実施の形態１と同様の構成及びステップには同一符号を付し、その詳細な説明は省略または簡略化する。
本実施の形態３に係る撮像システムは、上述した実施の形態１で説明した撮像システム１に対して、擬似画像を生成する機能を、撮像装置ではなく、通信機器に持たせた点が異なるのみである。
【０１００】
〔撮像システムの構成〕
図２４は、本発明の実施の形態３に係る撮像システム１Ｄの構成を示すブロック図である。
本実施の形態３に係る撮像システム１Ｄを構成する撮像装置２Ｄは、図２４に示すように、上述した実施の形態１で説明した撮像装置２（図１）に対して、擬似画像生成部２８３が省略されている。
また、本実施の形態３に係る撮像システム１Ｄを構成する通信機器３Ｄは、図２４に示すように、上述した実施の形態１で説明した通信機器３（図１）に対して、動作指示情報生成部３６３が省略され、擬似画像生成部２８３と同様の機能を有する擬似画像生成部３６４が付加されている。
【０１０１】
〔撮像システムの動作〕
次に、上述した撮像システム１Ｄの動作について説明する。
以下では、撮像システム１Ｄの動作として、撮像装置２Ｄの動作、及び通信機器３Ｄの動作を順に説明する。
【０１０２】
〔撮像装置の動作〕
図２５は、撮像装置２Ｄの動作を示すフローチャートである。
撮像装置２Ｄの動作は、上述した実施の形態１で説明した撮像装置２の動作（図４）に対して、図２５に示すように、ステップＳ１０８，Ｓ１１０，Ｓ１１１の代わりにステップＳ１２１，Ｓ１１０Ｄ，Ｓ１１１Ｄをそれぞれ付加し、ステップＳ１０９を省略した点が異なる。
このため、以下では、上記異なる点のみを説明する。
【０１０３】
ステップＳ１２１において、第１通信制御部２８１は、通信機器３Ｄから第１通信部２４を介して、第１擬似画像、及び撮影スポット（目標位置）の経度及び緯度に関する目標位置情報を受信したか否かを判断する。
第１擬似画像及び目標位置情報を受信していないと判断された場合（ステップＳ１２１：Ｎｏ）には、撮像装置２Ｄは、ステップＳ１１３に移行する。
一方、第１擬似画像及び目標位置情報を受信したと判断された場合（ステップＳ１２１：Ｙｅｓ）には、第１制御部２８Ｄは、第１メモリ部２５に当該第１擬似画像及び目標位置情報を記憶する。そして、第１表示制御部２８２は、ステップＳ１１０Ｄにおいて、第１メモリ部２５に記憶された最新のライブビュー画像データに対応するライブビュー画像に対して、第１メモリ部２５に記憶された第１擬似画像を重畳した第１重畳画像を第１表示部２９１に表示させる。
【０１０４】
続いて、位置判定部２８５は、ステップＳ１１１Ｄにおいて、第１メモリ部２５に記憶された目標位置情報、及び位置取得部２１にて取得された位置情報に基づいて、撮像装置２Ｄの現在位置が目標位置情報に基づく目標位置から所定距離の範囲内に位置しているか否かを判定する。
撮像装置２Ｄの現在位置が目標位置から所定距離の範囲内に位置していないと判定された場合（ステップＳ１１１Ｄ：Ｎｏ）には、撮像装置２Ｄは、ステップＳ１１３に移行する。
一方、撮像装置２Ｄの現在位置が目標位置から所定距離の範囲内に位置していると判定された場合（ステップＳ１１１Ｄ：Ｙｅｓ）には、撮像装置２Ｄは、ステップＳ１１２に移行する。
【０１０５】
〔通信機器の動作〕
図２６は、通信機器３Ｄの動作を示すフローチャートである。
通信機器３Ｄの動作は、上述した実施の形態１で説明した通信機器３の動作（図５）に対して、図２６に示すように、ステップＳ２０８，Ｓ２０９の代わりにステップＳ２１６，Ｓ２１７をそれぞれ付加した点が異なる。
このため、以下では、上記異なる点のみを説明する。
【０１０６】
ステップＳ２０６の後、擬似画像生成部３６４は、通信機器３Ｄのユーザによる第２入力部３２への第１アドバイス操作（第１動作指示（撮影スポットのアドバイス）に関する操作）があったか否かを判断する（ステップＳ２０７）。
第１アドバイス操作がないと判断された場合（ステップＳ２０７：Ｎｏ）には、通信機器３Ｄは、ステップＳ２０１に戻る。
一方、第１アドバイス操作があったと判断した場合（ステップＳ２０７：Ｙｅｓ）には、擬似画像生成部３６４は、上述した実施の形態１で説明したステップＳ１０９と同様に、第１動作指示に応じた撮像装置２Ｄのユーザの動作を擬似的に表現した第１擬似画像を生成する（ステップＳ２１６）。
【０１０７】
具体的に、擬似画像生成部３６４は、ステップＳ２１６において、第２通信部３３を介して受信した撮像装置２Ｄの位置情報及び第１方位情報、並びに目標位置情報（第１動作指示に応じた撮影スポット（目標位置）の経度及び緯度に関する情報）に基づいて、撮像装置２Ｄのユーザを第１動作指示情報に基づく撮影スポットに導くための第１擬似画像を生成する。
続いて、第２通信制御部３６１は、第２通信部３３を介して、ステップＳ２１６にて生成された第１擬似画像、及び目標位置情報を撮像装置２Ｄに送信する（ステップＳ２１７）。この後、通信機器３Ｄは、ステップＳ２０１に戻る。
【０１０８】
以上説明した本実施の形態３のように、擬似画像を生成する機能を通信機器３Ｄに持たせた場合であっても、上述した実施の形態１と同様の効果を奏する。
【０１０９】
（その他の実施の形態）
ここまで、本発明を実施するための形態を説明してきたが、本発明は上述した実施の形態１〜３によってのみ限定されるべきものではない。
上述した実施の形態１〜３では、被写体として撮像装置２，２Ｄのユーザを例示したが、これに限られず、撮像装置２，２Ｄのユーザ以外を被写体としても構わない。
【０１１０】
上述した実施の形態１〜３では、撮像装置２，２Ｄは、当該撮像装置２，２Ｄのユーザによる第１入力部２３へのアドバイス依頼操作や撮影条件設定操作に応じて、当該撮像装置２，２Ｄの位置情報及び第１方位情報や撮影条件情報を通信機器３，３Ｃ，３Ｄに送信していたが、これに限られない。
例えば、撮像装置は、アドバイスを行う人物を紹介する仲介者の所有する通信機器に上記位置情報及び第１方位情報や撮影条件情報を送信する。仲介者の所有する通信機器は、上記位置情報及び第１方位情報や撮影条件情報に基づく画像を表示する。そして、仲介者は、当該画像に基づいて、アドバイスを行う人物を選定し、当該アドバイスを行う人物が所有する通信機器に、上記位置情報及び第１方位情報や撮影条件情報を送信する。この後、上述した実施の形態１〜３と同様に、撮像装置２，２Ｄとアドバイスを行う人物が所有する通信機器との間で通信が行われる。
【０１１１】
上述した実施の形態１〜３において、画像データを記録する（ステップＳ１１４）際に、当該画像データに対して、以下に示す情報を関連付けて記録しても構わない。
上述した実施の形態１〜３で説明した撮影形態は、撮像装置２，２Ｄのユーザ（カメラユーザ）と、通信機器３，３Ｃ，３Ｄのユーザ（遠隔カメラマン）との共同作業となる。このため、当該ユーザ同士の同意の下、共同で撮影をしたことを示す情報を、画像データに対して関連付けて記録しても構わない。また、通信機器３，３Ｃ，３Ｄのユーザを特定する情報を画像データに対して関連付けて記録しても構わない。さらに、画像データを記録する（ステップＳ１１４）までに、撮像装置２，２Ｄが通信機器３，３Ｃ，３Ｄに送信した情報や通信機器３，３Ｃ，３Ｄから受信した情報、撮像装置２，２Ｄのユーザによるユーザ操作の履歴を示す情報等を、画像データに対して関連付けて記録しても構わない。
このような情報を画像データに関連付けて記録しておけば、画像の検索性を改善し、著作権等の権利関係や、画像データの記録に関する責任の所在等を明確にすることが可能となる。
【０１１２】
上述した実施の形態１〜３において、画像データを記録する（ステップＳ１１４）までの一連の作業を動画にして記録しても構わない。
このような動画を記録しておけば、記録（ステップＳ１１４）された画像データのメーキング動画となって、画像の楽しみ方を広げることが可能となる。なお、この場合、撮像装置２，２Ｄは、アドバイス依頼操作がなされた時点を含む所定の期間に生成された画像データ（ライブビュー画像データ）、当該撮像装置２，２Ｄのユーザが発した言葉に対応する音声データ、通信機器３，３Ｃ，３Ｄのユーザが発した言葉に対応する音声データ（通信機器３，３Ｃ，３Ｄから撮像装置２，２Ｄに送信される音声データ）を記録すればよい。
【０１１３】
また、処理フローは、上述した実施の形態１〜３で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【符号の説明】
【０１１４】
１，１Ｃ，１Ｄ  撮像システム
２，２Ｄ  撮像装置
２Ａ  本体部
２Ｂ  表示機構
３，３Ｃ，３Ｄ  通信機器
２０  撮像部
２１  位置取得部
２２  第１方位取得部
２３  第１入力部
２４  第１通信部
２５  第１メモリ部
２６  第１記録部
２７  回転判定部
２８，２８Ｄ  第１制御部
３１  第２表示部
３２  第２入力部
３３  第２通信部
３４  第２メモリ部
３５  第２記録部
３６，３６Ｄ  第２制御部
３７  第２方位取得部
２６１  第１プログラム記録部
２６２  画像データ記録部
２８１  第１通信制御部
２８２  第１表示制御部
２８３  擬似画像生成部
２８４  撮像制御部
２８５  位置判定部
２９１  第１表示部
３５１  第２プログラム記録部
３５２  地図情報記録部
３６１  第２通信制御部
３６２  第２表示制御部
３６３  動作指示情報生成部
３６４  擬似画像生成部
Ａ１Ａ〜Ａ１Ｆ，Ａ２Ａ〜Ａ２Ｆ  矢印画像
Ｃ  撮影条件
ＣＵ  撮像装置のユーザ
Ｄ  距離画像
Ｌ  光軸
Ｍ  地図画像
Ｏ  第１方位画像
Ｐ  位置画像
Ｑ１Ａ〜Ｑ１Ｆ  第１擬似画像
Ｑ２Ａ〜Ｑ２Ｇ  第２擬似画像
Ｒ  軸
Ｓ１〜Ｓ６  指定撮影スポット
Ｓｃ  条件重畳画像
Ｓｐ  指定画面
Ｓｕ１Ａ〜Ｓｕ１Ｆ  第１重畳画像
Ｓｕ２Ａ〜Ｓｕ２Ｇ  第２重畳画像
ＴＧ  文字画像
Ｗ１〜Ｗ７  言葉
Ｗ１００，Ｗ１０１，Ｗ２００，Ｗ２０１  ライブビュー画像
【図１】
2015099994.tif 000003
【図２】
2015099994.tif 000004
【図３】
2015099994.tif 000005
【図４】
2015099994.tif 000006
【図５】
2015099994.tif 000007
【図６】
2015099994.tif 000008
【図７】
2015099994.tif 000009
【図８】
2015099994.tif 000010
【図９】
2015099994.tif 000011
【図１０】
2015099994.tif 000012
【図１１】
2015099994.tif 000013
【図１２】
2015099994.tif 000014
【図１３】
2015099994.tif 000015
【図１４】
2015099994.tif 000016
【図１５】
2015099994.tif 000017
【図１６】
2015099994.tif 000018
【図１７】
2015099994.tif 000019
【図１８】
2015099994.tif 000020
【図１９】
2015099994.tif 000021
【図２０】
2015099994.tif 000022
【図２１】
2015099994.tif 000023
【図２２】
2015099994.tif 000024
【図２３】
2015099994.tif 000025
【図２４】
2015099994.tif 000026
【図２５】
2015099994.tif 000027
【図２６】
2015099994.tif 000028